(57)【要約】      （修正有）【課題】ハンガーの素材を基本的に合成樹脂材などの加工材とすることによりそのデザイン拡張性を高めるとともに、ネクタイやストールなどを掛ける部位が椅子の運搬用取手として使われる等の取り扱いを受けたとしても、破損する危険性を低減できるようにしたハンガーを備えた椅子を提供する。【解決手段】背凭れの背面側にハンガーが支持されてなる椅子において、前記ハンガーのハンガー本体１４は、前記背凭れに取り付けられる取付部３１と、該取付部３１上方位置から略垂直方向に左右に延設され衣服を支持するためのハンガー部６６と、を有し、該ハンガー部６６は、前後方向の断面視において、少なくとも一方の端部が下方向に屈曲する反りを有する板状体であり、該板状体の中央部寄りに開口部６９が形成されている。【選択図】図５
2014083127.tif 000002
【特許請求の範囲】
【請求項１】
背凭れの背面側にハンガーが支持されてなる椅子において、
前記ハンガーのハンガー本体は、前記背凭れに取り付けられる取付部と、該取付部上方位置から略垂直方向に左右に延設され衣服を支持するためのハンガー部と、を有し、
該ハンガー部は、前後方向の断面視において、少なくとも一方の端部が下方向に屈曲する反りを有する板状体であり、該板状体の中央部寄りに開口部が形成されていることを特徴とする椅子。
【請求項２】
前記ハンガー部が、前後方向の断面視において、上方が凸となる湾曲形状の反りを有する板状体であることを特徴とする請求項１に記載の椅子。
【請求項３】
前記ハンガー部が、前後方向の断面視において、少なくとも後端部側には前記凸となる湾曲形状を構成する曲率よりも大きい曲率の湾曲部をさらに有している板状体であることを特徴とする請求項１または２に記載の椅子。
【請求項４】
前記ハンガー部における中央部寄りに形成された開口部の前方側に残る板状体のみから、前記背凭れに取り付けられる取付部が延びていることを特徴とする請求項１ないし３のいずれかに記載の椅子。
【発明の詳細な説明】
【技術分野】
【０００１】
本発明は、背凭れの背面側にハンガーが装着された椅子に関する。
【背景技術】
【０００２】
近年、背凭れの背面側にハンガー等のオプション部材を取り付けて椅子の用途を拡張し、その利便性を向上させるようにした椅子が開発されている。このようなオプション部材は椅子と別体に製造され、椅子の背凭れの背面側に固定するのが一般的である。これらのオプション部材としてのハンガーを備えた椅子に関して、下記特許文献に開示されているものが公知である。
【先行技術文献】
【特許文献】
【０００３】
【特許文献１】特開２００５−１６８７４８号公報
【特許文献２】特開２０１１−１０１７７０号公報
【特許文献３】特開２００６−２８０４５４号公報
【特許文献４】特許第４９１７８５０号公報
【発明の概要】
【発明が解決しようとする課題】
【０００４】
これらの椅子におけるハンガー装置のハンガー本体は、特許文献１に示されるような構造が一般的であるが、近年、特許文献２、３に開示されるように、ハンガー本体を比較的細い合成樹脂製のフレームとし、このフレームの一部をネクタイやストールなどを掛ける部位として利用できるハンガー本体が開発されている。
【０００５】
しかしながら、全体が比較的細いフレームであることかた、ネクタイやストールなどを掛ける部位が、椅子を手で運ぶときの取手として使われることもあった。こうした使用によって、合成樹脂製のフレームでできているハンガー本体が変形し、破損する恐れがあった。特許文献４に開示されるハンガーにおいては、フレームとして金属のパイプを利用するといった開示があるが、ハンガー本体に金属のパイプを利用した場合、掛けた衣服を型崩れしないように支える構造にデザインできないため、掛けた服の形状が崩れるばかりか、ハンガー本体の形状が画一的になってしまいハンガーのデザイン拡張性も限界がある。
【０００６】
本発明は、上記のような問題に鑑み、ハンガーの素材を基本的に合成樹脂材などの加工材とすることによりそのデザイン拡張性を高めるとともに、ネクタイやストールなどを掛ける部位が椅子の運搬用取手として使われる等の取り扱いを受けたとしても、破損する危険性を低減できるようにしたハンガーを備えた椅子を提供することを目的とする。
【課題を解決するための手段】
【０００７】
前記課題を解決するために、本発明の椅子は、
背凭れの背面側にハンガーが支持されてなる椅子において、
前記ハンガーのハンガー本体は、前記背凭れに取り付けられる取付部と、該取付部上方位置から略垂直方向に左右に延設され衣服を支持するためのハンガー部と、を有し、
該ハンガー部は、前後方向の断面視において、少なくとも一方の端部が下方向に屈曲する反りを有する板状体であり、該板状体の中央部寄りに開口部が形成されていることを特徴としている。
この特徴によれば、ハンガー部が前後方向の少なくとも一方の端部が下方向に屈曲する反りを有する板状体であるため、板状体の曲げ強度が平板等に比較して増大し、該板状体の中央部寄りにネクタイやストールなどを掛ける部位である開口部が椅子の運搬用取手として使われる等の取り扱いを受けたとしても、板状体の曲げ強度が維持される。したがって、ハンガーの素材を基本的に合成樹脂材などの加工材としてそのデザイン拡張性を高めたとしても、ハンガー部の破損する危険性を低減できることになる。
【０００８】
本発明の椅子は、
前記ハンガー部が前後方向の断面視において、上方が凸となる湾曲形状の反りを有する板状体であることを特徴としている。
この特徴によれば、板状体の全体にわたり曲げ強度が維持されるばかりか、掛けた服の形状に合わせるように、上面のラウンドを確保できることになる。
【０００９】
本発明の椅子は、
前記ハンガー部が、前後方向の断面視において、少なくとも後端部側には前記凸となる湾曲形状を構成する曲率よりも大きい曲率の湾曲部をさらに有している板状体であることを特徴としている。
この特徴によれば、該板状体の中央部寄りにネクタイやストールなどを掛ける部位である前記開口が椅子の運搬用取手として使われる等の取り扱いを受けたとしても、前記開口部の後部側、すなわち取手部分の曲げ強度が向上するため、該取手部分の破損の心配が少なくなる。
【００１０】
本発明の椅子は、
前記ハンガー部における中央部寄りに形成された開口部の前方側に残る板状体のみから、前記背凭れに取り付けられる取付部が延びていることを特徴としている。
この特徴によれば、中央部寄りに形成された開口部の後方側に残る板状体が、前記取付部に対して片持ち状態となり、ハンガー部の後方部分及び左右部分の移動自由度が増すこととなり、人とハンガーとの接触による人への損傷を軽減できることになる。
【図面の簡単な説明】
【００１１】
【図１】実施例１における椅子を示す正面図である。
【図２】椅子を示す側面図である。
【図３】椅子を示す背面図である。
【図４】ハンガー装置を示す斜視図である。
【図５】ハンガー本体を示す正面図である。
【図６】ハンガー本体を示す背面図である。
【図７】ハンガー本体を示す上面図である。
【図８】（ａ）は、ハンガー部を示す側面図であり、（ｂ）は、同じく断面図である。
【図９】支持部材を示す正面図である。
【図１０】支持部材を示す背面図である。
【図１１】（ａ）は、調整具を示す背面図であり、（ｂ）は、同じく正面図であり、（ｃ）は、同じく側面図であり、（ｄ）は、同じく上面図である。
【図１２】（ａ）は、ハンガー装置の図４におけるＡ−Ａ断面を示す側断面図であり、（ｂ）は、同じくＢ−Ｂ断面を示す上断面図である。
【図１３】ハンガー本体の支持部材に対する移動態様を示す図である。
【図１４】ハンガー装置およびヘッドレスト装置の背凭れへの取り付けを説明する図である。
【図１５】ハンガー装置、ヘッドレスト装置および背凭れの重合段面を示す上断面図である。
【発明を実施するための形態】
【００１２】
本発明に係る椅子を実施するための形態を実施例に基づいて以下に説明する。
【実施例１】
【００１３】
実施例１に係る椅子につき、図１から図１５を参照して説明する。以下、図２及び図７、８、１２（ａ）、１５、１６の紙面左側を椅子の正面側（正面側方向）とし、図１２（ｂ）の紙面下側を椅子の正面側（正面側方向）として説明する。
【００１４】
図１の符号１は、本発明の適用された椅子である。この椅子１は、先端部にキャスタ２を備える放射状をなす５本の脚杆３を有する脚体４と、脚体４の中央に立設され、内部にガススプリング（図示略）が収容された伸縮式の脚柱５と、脚柱５の上端に後端部が固着された正面上方を向く支基６と、支基６の上方に支持された座７と、左右方向に延び前後方向に回動可能な軸８をもって支基６の左右両側にそれぞれ枢着され側面視で略Ｌ字状をなす背凭れ支持杆９と、背凭れ支持杆９の後端上部に支持された背凭れ１０と、座７の左右両側にそれぞれ上下方向に延設され下端が背凭れ支持杆９の左右にそれぞれ固着された肘掛支持柱１１と、肘掛支持柱１１の上端に固着された肘掛１２と、背凭れ１０の背面側上部に設けられたオプション部材としてのハンガー本体１４を有するハンガー装置１３とを備えている。
【００１５】
図１から図３に示すように、支基６は、前後方向に延びた箱状をなし、その内部には、座７を正面側方向に向かって常時付勢する公知の付勢手段、例えば特開２００５−２１１２４４号公報に記載れているような圧縮コイルバネと、この圧縮コイルバネの付勢力を調節する調節手段（いずれも図示略）とが収容されている。なお、これらの付勢手段や調節手段は、本発明に直接関係しないので、具体的な構成および詳細な説明は省略する。
【００１６】
また、座７は、上面視で枠状をなす座フレーム１５と、この座フレーム１５に取り付けられた合成樹脂製の座板（図示略）と、座板の上面および外周面を覆うように取り付けられたクッション材１６とからなる。
【００１７】
そして、座フレーム１５の前部および後部には、両側部が上向きに傾斜され、なおかつ中間部が座フレーム１５より下方に離間して左右方向に延びる横杆がそれぞれ固着されている。また、正面側の前部横杆１７の中間部は、支基６に設けられた圧縮コイルバネによって、正面側方向に付勢されている。また、背面側の後部横杆（図示略）の中間部は、背凭れ支持杆９の軸８よりやや背面側に設けられたブラケット（図示略）に回動可能に連結されており、背凭れ１０が背凭れ支持杆９とともに背面側方向に傾斜されると、座７の後部が背面側下方へ移動されるようになっている。この座７の後部の移動に伴って、前部横杆１７が圧縮コイルバネによる付勢力に抗して、背面側下方に摺動され、座７の前部も背面側下方に移動させられる。このようにすることで、圧縮コイルバネの付勢力よる背凭れ１０の正面側方向への復帰回動力と、座７の正面側上方への復帰力とが得られて、利用者着座者にとっての座り心地が向上する。
【００１８】
また、図２に示すように、背凭れ支持杆９は、前後方向に延設されるとともに後部側が上方に湾曲されている。この背凭れ支持杆９の前端部には、軸８が固着されるようになっている。そして、この軸８が支基６の上面における脚柱５よりもやや正面側に枢着されることで、背凭れ支持杆９が軸８を中心に上下方向に回動可能になっている。また、背凭れ支持杆９の後端部には、側面視で略倒立Ｌ字状をなす固定片（図示略）が取り付けられている。
【００１９】
図１に示すように、背凭れ１０は、前後方向に連通する開口面が下方に向けて漸次若干狭幅となる略方形枠状をなす硬質合成樹脂製の背凭れフレーム１８と、この背凭れフレーム１８の開口面の正面側に張設された張材１９とからなる。また、張材１９は、メッシュ材が方形に加工されて、上下左右に緊張された状態で開口面に張設されている。なお、張材１９は、メッシュ材以外の材質、例えば、織布、帆布等からなってもよい。
【００２０】
そして、背凭れフレーム１８は、図２に示すように、上下方向の中央よりやや下方の部分が正面側に突出するように緩やかに屈曲する左右一対の側枠杆２０、２０と、側枠杆２０、２０の上端部同士を連結するとともに、左右方向の中央部が背面側方向に突出するように緩やかに湾曲する上枠杆２１と、左右両側の枠杆２０、２０の下端部同士をほぼ直線状に連結する下枠杆２２とからなる。
【００２１】
また、下枠杆２２には、正面側に向けて延設された前向片（図示略）が一体的に成形されている。そして、この前向片が、背凭れ支持杆９の上面にネジ止めされて、なおかつ上述の背凭れ支持杆９の固定片が、下枠杆２２の下面にネジ止めされる。これにより、背凭れ支持杆９に、背凭れフレーム１８が強固に取り付けられる。
【００２２】
また、図１４に示すように、背凭れフレーム１８の上枠杆２１の背面側の中央部には、左右方向に延び略逆台形状をなし、後述するオプション部材の嵌合凸部２３が内側に嵌合される凹状の位置決め凹部２４（嵌合凹部５２）が形成されている。そして、この位置決め凹部２４の内面には、後述するハンガー装置１３やヘッドレスト装置２６の嵌合凸部２３と重なり合う重合面２７が形成されている。さらに、この重合面２７には、上枠杆２１の内部に連通する連通孔２５が左右に２つずつ形成されている。
【００２３】
次に、本発明に係るオプション部材としてのハンガー本体１４を備えるハンガー装置１３について説明する。図４に示すように、ハンガー装置１３は、椅子１の背面側に配置され衣服等が掛けられるハンガー本体１４と、ハンガー本体１４を支持し椅子１の背面側に取り付けられる支持部材２８とからなる。これらのハンガー本体１４と支持部材２８とは、合成樹脂材、例えば、ポリスチレンやポリプロピレン、アクリロニトリル−ブタジエン−スチレン樹脂等の加工材からなる。
【００２４】
図５および図６に示すように、正面視および背面視で、ハンガー本体１４は、背広等が掛けられる程度の長さに左右方向に延設されたハンガー部６６と、このハンガー部６６の中央部から下方に延設された取付部３１とを備えている。
【００２５】
そして、ハンガー部６６は、上方を向く板状をなしており、正面視および背面視で、左右方向の両端部が下方に湾曲されているとともに、全体として上に凸となる湾曲形状の反りを有している。さらに、図８に示すように、ハンガー部６６は、前後方向の側面視において、前方の端部側が下方に屈曲する反り部６７を有しするとともに、全体形状として上方が凸となる湾曲形状の反りを有する板状体となっており、板状体の上面は、ハンガー部６６に掛けられる衣服の形状に合わるようにラウンド状になっている（図１４参照）。
【００２６】
また、図８に示すように、この板状体の前端部側と後端部側には、上方に凸となる板状体全体としての湾曲形状を構成する曲率よりも大きい曲率で湾曲された湾曲部６８が形成されている。この湾曲部６８は、ハンガー部６６の外周全周にわたって形成されている。
【００２７】
なお、上述のように板状体に下方に屈曲する反り部６７が設けられていることで、ハンガー部６６の左右両端部付近の前後方向の断面は略倒立Ｌ字状をなすようになっており、ハンガー部６６は、上下方向や左右方向の耐荷重性が向上されている。
【００２８】
また、ハンガー部６６の前後方向および左右方向の中央部には、ハンガー部６６をなす板状体の上下方向に連通し左右方向に延設されたスリット状の開口部６９設けられている。
この開口部６９は、図７に示すように、上面視で、左右両端部が正面側方向に向く湾曲形状に形成されている。そして、図８に示すように、この開口部６９の内周側は、板状体全体としての湾曲形状を構成する曲率よりも大きい曲率で湾曲された湾曲部６８’が設けられている。このように開口部６９を形成することで、開口部６９をネクタイやストール、ショールなどを掛ける部位として利用できるとともに、ネクタイ等がハンガー部６６の角に引っ掛かったり擦れたりして、傷むことが防止される。
【００２９】
なお、上述の曲率は、全体としてまたは複数の湾曲の平均としての曲率を示すものであって、板状体やその端部が複数の湾曲を有して反っている場合は、その複数の湾曲からなる板状体全体または端部全体としての曲率に示す。
【００３０】
一方、取付部３１は、図８に示すように、ハンガー部６６における中央部に形成された開口部６９の正面側に残る板状体のみから下方に延びている。なお、図５に示すように、開口部６９の正面側の中央部が、後述する取付部３１の方向に凸状をなすように延設されており、ハンガー部６６と取付部３１とが略Ｙ字状に接続されるようになっている。このようにハンガー部６６と取付部３１とを連続的に一体に形成ことで、椅子１が手等で持って引かれる場合にハンガー本体１４が取手として扱われ、ハンガー部６６の片側に偏荷重が加えられるようなことがあっても、取付部３１側に荷重が分散されやすくなるので、ハンガー本体１４が変形したり、破損したりする危険性が低減される。
【００３１】
そして、取付部３１は、図５および図１２（ｂ）に示すように、上断面視で内面が正面側を向く略Ｕ字状をなしているとともに、幅方向の中央に前後方向に貫通し上下方向に延設された支持溝３６を有している。また、この支持溝３６を挟む両側には、所定間隔で所定の高さ突出された掛止段部３７が上下方向に複数個設けられ、掛止段部３７は、後述する調整具３８の掛止部３９の上面に係止されうるようになっている。そして、この掛止段部３７同士の間には、左右方向に延設された横長溝４０が設けられており、調整具３８の掛止部３９が前後方向に移動可能になっている。
【００３２】
このように、取付部３１の正面側に掛止段部３７と横長溝４０とを設けることで、図６に示すように、ハンガー装置１３の背面側から掛止段部３７と横長溝４０とを視認できなくなり、ハンガー装置１３のデザイン性を著しく向上できる。
【００３３】
また、支持溝３６の下端部近傍には左右方向に延びるスリット状の挿入孔４１が設けられており、後述するように、ハンガー本体１４を支持部材２８に装着させる際に、掛止部３９を有する調整具３８を挿入できるようになっている。
【００３４】
次に、図９、図１０及び図１２に基づきハンガー装置１３の支持部材２８について説明する。この支持部材２８は、上下端が開放された内周空間を備えた筒状部４２と、この筒状部４２の上端部から正面側方向に向けて連続的に延設された連設部４３と、この連設部４３の上端に連続的に延設されて前後方向を向く板状をなす重合部４５を有する。
【００３５】
図９に示すように、筒状部４２は、その正面側の中央より若干下方に、内周空間へ貫通する抜止孔４４が設けられており、この抜止孔４４の内周面には、後述する抜止ボルト４６に対応するネジ山が切られており、抜止ボルト４６が係止されうるようになっている。なお、本実施例では、抜止ボルト４６を支持部材２８に係止しているが、ハンガー本体１４において支持溝３６よりも下方で、なおかつハンガー本体１４を支持部材２８に対して最上方に移動させたときに抜止ボルト４６が支持部材２８に当接するような位置に、抜止ボルト４６を設けるようにしてもよい。
【００３６】
また、抜止孔４４の上方には、上下方向に延びるスリット状の止着孔４７が形成されており、後述する調整具３８の先端が止着されるようになっている。
【００３７】
また、図１０に示すように、筒状部４２の背面側には、正面側に設けられた止着孔４７に対向する位置に、前後方向に穿設された大径の大径孔４８が設けられているとともに、大径孔４８の内部には、大径孔４８よりも内径が小さく内周空間に連通する小径孔４９が設けられている。これらの小径孔４９と大径孔４８により筒状部４２の背面側から内周空間に貫通する挿通部５０が形成される。また、この挿通部５０には、後述する調整具３８を筒状部４２の背面の外周側から挿入できるようになっている。
【００３８】
また、筒状部４２の背面側の上端には、緩やかに湾曲する凹状をなす窪部５１が設けられている（図１２（ａ）参照）。この窪部５１は、筒状部４２の内壁面より若干外側に形成されており、後述するように利用者が支持部材２８に対してハンガー本体１４の高さ位置を調整する際に、利用者が指を掛けておくことができ、ハンガー本体１４と支持部材２８との間に、利用者の指が挟まれることが防止される。
【００３９】
また、図１２に示すように、筒状部４２の内周空間は、前述のハンガー本体１４の取付部３１の外周に対応する形状となっており、内周空間の背面側の壁面に取付部３１の背面側の外周面が摺接しつつ、取付部３１が支持部材２８に対して上下方向に移動可能になっている。
【００４０】
図９に示すように、筒状部４２の上端から前面側上方に向けて連続的に延設された重合部４５は、前後方向を向く板状をなしており、その正面側には、図１４に示す背凭れ１０の位置決め凹部２４に内嵌されうるように、左右方向に延びる略逆台形状をなすとともに、重合部４５の正面側方向に突出する嵌合凸部２３が形成されている。また、この嵌合凸部２３の内面には、背凭れ１０の連通孔２５に対応する位置に、重合部４５の背面側に貫通する連通孔２５’が左右に２つずつ形成されている。
【００４１】
一方、図１０に示すように、重合部４５の背面側には、正面側から貫通される連通孔２５’を囲うように、背凭れ１０の位置決め凹部２４（嵌合凹部５２）と同一形状の嵌合凹部５２’が形成されている。
【００４２】
次に本発明に係る調整具３８について図１１に基づき説明する。調整具３８は、背面視で上述の大径孔４８の内径よりも若干小さい外径を有す円形状をなす操作部としての鍔部５３と、この鍔部５３の正面側の中央部から垂直方向に延設された操作杆５４を備えている。
【００４３】
また、鍔部５３の背面側には、前述のハンガー本体１４の移動方向を示す刻印矢印５５が刻印されている。そして、鍔部５３の正面側の操作杆５４の先端には、二又状に正面側方向に突設され先端部に返片５６が形成された止着部５７が設けられている。この止着部５７は、図１２に示すように、調整具３８が支持部材２８の挿通部５０に挿入されて、付勢手段としてのコイルバネ６０により調整具３８が背面方向に付勢された状態で、支持部材２８の止着孔４７に挿入されるようになっている。
【００４４】
さらに、操作杆５４は、その左右の側面にそれぞれ左右方向に突出された掛止部３９が設けられている。この掛止部３９は、図１２に示すように、調整具３８が支持部材２８の挿通部５０に挿入されて、付勢手段としてのコイルバネ６０により調整具３８が背面方向に付勢された状態で、掛止部３９の上面にハンガー本体１４の掛止段部３７が掛合されるように配置され、なおかつ、調整具３８が背面側から利用者等により押圧されて掛止部３９が正面側に移動された状態で、掛止部３９と掛止段部３７との掛合が解かれるように配置されている。
【００４５】
また、調整具３８は、正面視で略十字形状をなし、この略十字部分の上下及び左右の幅は上述の小径孔４９よりも小さくなっており、調整具３８の先端から鍔部５３の正面側方向までの部分は、小径孔４９を通過できるようになっている。
【００４６】
さらに、調整具３８の操作杆５４の左右幅は、上述のハンガー本体１４の支持溝３６を通過可能な幅となっている。一方で、掛止部３９、３９の左右幅は、ハンガー本体１４の挿入孔４１を通過可能な幅で、なおかつ支持溝３６を通過不可能な幅となっている。また、止着部５７の返片５６は、正面側方向側が支持部材２８の止着孔４７よりやや狭くなっている一方で、返片５６の後方側は止着孔４７よりも幅広に形成されている。
【００４７】
次に、前述したハンガー本体１４を支持部材２８に装着して、ハンガー装置１３を図４や図１２に示す状態とする手順について説明する。前述したハンガー本体１４を支持部材２８に装着する際は、ハンガー本体１４の取付部３１を支持部材２８の上方から内周空間に挿入して、取付部３１の挿入孔４１と支持部材２８の挿通部５０とが重なる位置に合わせる。そして、前後方向に延設された付勢手段としてのコイルバネ６０を大径孔４８に挿入したうえで、調整具３８を支持部材２８の外周側から挿通部５０に挿入する。さらに、調整具３８の先端の止着部５７が内周空間を貫通させて、支持部材２８の正面側の止着孔４７に挿入されるように押し込む。
【００４８】
このように調整具３８の先端が止着孔４７に押し込まれる際に、調整具３８の二又状の先端が内方に撓むことで、止着部５７が止着孔４７に挿入可能となる。そして、挿入された後には、二又状の先端が元の幅に復元されて返片５６が止着孔４７に引っ掛かることで、調整具３８は、コイルバネ６０により背面側方向に付勢される一方で、挿通部５０から抜けることが防止される。さらに、コイルバネ６０は、その一端が大径孔４８の内壁に当接されるとともに、他端が鍔部５３の正面に当接され、収縮された状態で大径孔４８に縮設されるので、調整具３８が背面側方向に付勢された状態となる。
【００４９】
さらに、鍔部５３の背面側を指等で正面側方向に押圧しながら、ハンガー本体１４を支持部材２８に対して下方に適宜移動させた後、押圧を解除し、支持部材２８の正面側の抜止孔４４に抜止ボルト４６を取り付ける。この抜止ボルト４６は、支持部材２８の内周空間にその先端部が突出された状態となる（図１２参照）。以上により、ハンガー本体１４の支持部材２８への装着が完了する。
【００５０】
これにより、調整具３８が挿通部５０から抜けた状態で、ハンガー本体１４が最上方まで引っ張られると、抜止ボルト４６が取付部３１の下端部に接触するので、ハンガー本体１４が支持部材２８から抜き出されることが防止される。
【００５１】
このようにハンガー本体１４を支持部材２８に挿入して、調整具３８を取り付けることで、鍔部５３を指等で押圧していない通常の使用状態においては、調整具３８がコイルバネ６０により背面側方向に付勢されて、操作杆５４の掛止部３９の後端面がハンガー本体１４の取付部３１の正面に圧接される。そして、ハンガー本体１４を後方へ押し付ける力が働き、ハンガー本体１４の背面は、均一に支持部材２８の内壁の背面側に圧接される。
【００５２】
また、ハンガー本体１４の高さ調整について図１２および図１３に基づいて説明する。図１２に示すように、調整具３８の鍔部５３が利用者により押圧されることで、ハンガー本体１４の横長溝４０内に位置していた調整具３８の掛止部３９が正面側方向に移動されて、係止部３９とハンガー本体１４の掛止段部３７との掛合が解かれ、ハンガー本体１４は支持部材２８に対して上下方向に移動可能な状態となる。
【００５３】
そして、図１３に示すように、ハンガー本体１４を支持部材２８に対して上下方向に摺動させて、ハンガー本体１４が利用者の所望の位置に達した状態で、調整具３８の押圧を解くと、ハンガー本体１４が支持部材２８に対して移動不可能となり、利用者の所望の位置に安定的に固定される。
【００５４】
次に、本発明に係るオプション部材としてのハンガー本体１４を備えるハンガー装置１３を椅子１の背凭れ１０に取り付ける方法について説明する。なお、本実施例では、ハンガー装置１３とヘッドレスト装置２６とを背凭れ１０に取り付ける方法を示すが、ハンガー装置１３のみを取り付けることもできる（図３参照）。
【００５５】
図１４に示すように、ヘッドレスト装置２６は、背凭れ１０に取り付けられ前後方向を向く板状の取付部６１と、取付部６１から上方に延設されたヘッドレスト本体５９とを備えている。また、この取付部６１は、その正面側には、支持部材２８の重合部４５と同様に正面側方向に突出する嵌合凸部２３’が形成されている一方で、その背面側には、背凭れ１０の位置決め凹部２４と同一形状の嵌合凹部５２’’が形成されている。
【００５６】
さらに、これらの嵌合凸部２３’および嵌合凹部５２’’の内面には、背凭れ１０の連通孔２５に対応する位置に、正面側から背面側に貫通する連通孔２５’’が設けられているとともに、他の部材の嵌合凸部や嵌合凹部と重なり合う重合面２７’’’が設けられている。
【００５７】
このヘッドレスト装置２６の嵌合凸部２３’は、背凭れ１０の背面の位置決め凹部２４（嵌合凹部）に内嵌される（図１５参照）。さらに、ヘッドレスト装置２６の嵌合凹部５２’’には、ハンガー装置１３の支持部材２８に設けられた嵌合凸部２３が内嵌される。
【００５８】
さらに、ハンガー装置１３の嵌合凹部５２’の４つの連通孔２５’のそれぞれに、ハンガー装置１３の背面側から背凭れ１０の内部に達する長さの締結部材６２を挿入し、背凭れ１０の雌ネジ部としてのナット５８に締結部材６２を嵌合させる。これにより、重合された複数のオプション部材同士の重合面同士が連結され、相互に脱落不能となる。
【００５９】
その後、ハンガー装置１３に嵌合凹部５２’を塞ぐカバーとしての装飾キャップ６３を取り付ける。
【００６０】
以上により、図１５に示す重合連結手段を利用することで、複数のオプション部材が椅子１の前後方向に重合され、相互に脱落不能とされた状態で背凭れ１０に支持させることができる。
【００６１】
これにより、ハンガー部６６が前後方向の少なくとも一方の端部が下方向に屈曲する反りを有する板状体であるため、板状体の曲げ強度が平板等に比較して増大し、該板状体の中央部寄りにネクタイやストールなどを掛ける部位である開口部６９が椅子１の運搬用取手として使われる等の取り扱いを受けたとしても、板状体の曲げ強度が維持される。したがって、ハンガー装置１３（ハンガー）の素材を基本的に合成樹脂材などの加工材としてそのデザイン拡張性を高めたとしても、ハンガー部６６の破損する危険性を低減できることになる。
【００６２】
また、ハンガー部６６が前後方向の断面視において、上方が凸となる湾曲形状の反りを有する板状体であるので、板状体の全体にわたり曲げ強度が維持されるばかりか、掛けた服の形状に合わせるように、上面のラウンドを確保できることになる。
【００６３】
また、ハンガー部６６が、前後方向の断面視において、少なくとも後端部側には前記凸となる湾曲形状を構成する曲率よりも大きい曲率の湾曲部６８をさらに有している板状体であるので、該板状体の中央部寄りにネクタイやストールなどを掛ける部位である開口部６９が椅子１の運搬用取手として使われる等の取り扱いを受けたとしても、開口部６９の後部側、すなわち取手部分の曲げ強度が向上するため、該取手部分の破損の心配が少なくなる。
【００６４】
また、ハンガー部６６における中央部寄りに形成された開口部６９の前方側に残る板状体のみから、背凭れ１０に取り付けられる取付部３１が延びているので、中央部寄りに形成された開口部６９の後方側に残る板状体が、取付部３１に対して片持ち状態となり、ハンガー部６６の後方部分及び左右部分の移動自由度が増すこととなり、人とハンガーとの接触による人への損傷を軽減できることになる。
【００６５】
また、ハンガー部６６が、上下方向および前後方向にそれぞれ湾曲する板状体に形成されているので、ハンガー部６６を取手として椅子１が手で引かれるような場合でも、ハンガー部６６にかかる荷重が板状体の上下左右方向に分散されて、荷重が局所に集中しにくくなるので、ハンガー部６６が変形したり破損したりすることが防止される。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、ハンガー部６６を上方にのみ凸となる一つの曲面からなる板状体で構成しているが、板状体全体として上方に凸となる曲面が形成されれば、上方や下方に湾曲する複数の曲面を組み合わせて板状体を構成してもよい。
【００６８】
また、前記実施例では、ハンガー本体１４のハンガー部６６の上面に開口部６９を設けて、この開口部６９を利用してネクタイ等をハンガー本体１４に掛けられるようにしているが、例えば、ハンガー本体のハンガー部を全面が閉塞された板状とするとともに、ハンガー部の上面に前後方向に延びる溝部や窪み部を形成して、さらにその溝部や窪み部の上面に滑り止め材等を配置して、ネクタイ等をハンガー部に掛けられるようにしてもよい。この場合、ハンガー部において溝部や窪み部が設けられた部位の強度は、開口部が設けられる場合と同様に低下するが、ハンガー部を前後方向の少なくとも一方の端部が下方向に屈曲する反りを有する板状体とすることで、板状体の曲げ強度が平板等に比較して増大し、ハンガー部全体としての強度が維持される。よって、ネクタイやストールなどを掛ける部位として溝部や窪み部が設けられたハンガー部が椅子の運搬用取手として使われる等の取り扱いを受けたとしても、ハンガー部の曲げ強度が維持される。
【００６９】
また、前記実施例での支持部材２８は、上述のハンガー本体１４を支持しつつ、背凭れ１０に取り付けられようになっているが、支持部材２８が、ハンガー本体１４に限らずヘッドレスト本体等の他のオプション部材を支持しつつ、背凭れ１０に取り付けられようにされるようにしてもよい。
【００７０】
また、前記実施例では、重合面が略台形状に形成されているが、背凭れ１０およびオプション部材に共通した形状で形成される限り、重合面は略台形状に限らず長方形や楕円形、さらには複数の方形等に形成されもよい。
【００７１】
また、前記実施例では、背凭れ１０、ヘッドレスト装置２６、ハンガー装置１３、カバー６３の順で重合されているが、最前端が背凭れ１０であり、最後端がカバー６３であれば、それらの間に重合されるオプション部材の順序は適宜変更されてもよい。
【００７２】
また、前記実施例では、背凭れ１０に凹状の嵌合凹部５２を設けているが、背凭れ１０に凸状の嵌合凸部を設けるとともに、他のオプション部材の正面側に嵌合凹部を設け、背面側に嵌合凸部を設けるようにしてもよい。
【符号の説明】
【００７３】
１                椅子
７                座
１０              背凭れ
１３              ハンガー装置
１４              ハンガー本体（オプション部材）
１８              背凭れフレーム
２３，２３’      嵌合凸部
２４              位置決め凹部（嵌合凹部）
２５，２５’      連通孔，
２５’’           連通孔
２６              ヘッドレスト装置
２７              重合面
２８              支持部材
３１              取付部
３６              支持溝
３７              掛止段部
３８              調整具
３９              掛止部
４１              挿入孔
４２              筒状部
４４              抜止孔
４５              重合部
５０              挿通部
５２，５２’      嵌合凹部
５２’’           嵌合凹部
５３              鍔部（操作部）
５４              操作杆
６０              コイルバネ
６４，６４’      板バネ
６５              支持段部
６６              ハンガー部（板状体）
６７              反り部
６８              湾曲部
６９              開口部
【図１】
2014083127.tif 000003
【図２】
2014083127.tif 000004
【図３】
2014083127.tif 000005
【図４】
2014083127.tif 000006
【図５】
2014083127.tif 000007
【図６】
2014083127.tif 000008
【図７】
2014083127.tif 000009
【図８】
2014083127.tif 000010
【図９】
2014083127.tif 000011
【図１０】
2014083127.tif 000012
【図１１】
2014083127.tif 000013
【図１２】
2014083127.tif 000014
【図１３】
2014083127.tif 000015
【図１４】
2014083127.tif 000016
【図１５】
2014083127.tif 000017